(57)【要約】【課題】  空気や水の逆流を効果的に防止しうる可撓管及びこれを用いた配管構造を提供する。【解決手段】  インナー４と可撓管２との接続部分に嵌入されることで取り付けられ、筒体状の可撓性を有する素材からなり、可撓管２の上流側、すなわち、インナー４側が扁平形状に形成され、中間部分が可撓管２の下流側に向けて収束する形状に形成され、可撓管２の下流側の内面を当接させて閉塞部１１が形成され、可撓管２の配管流路中に嵌入されたときに、閉塞部１１が上流側から下流側へ向かう流体の圧力に対して弾性変形により開口して流体を通過させ、下流側から上流側へ向かう流体の圧力に対して閉塞状態を維持する可撓管用逆流防止弁１０を備えている。【選択図】  図３
2012136911.tif 000002
【特許請求の範囲】
【請求項１】
排気又は排水のための可撓管の配管流路中に設置され、
配管の上流側から下流側へ向かう流体を通過させ、
下流側から上流側へ向かう流体の通過を防ぐ可撓管用逆流防止弁を備える
ことを特徴とする可撓管。
【請求項２】
前記可撓管用逆流防止弁は、
筒体状の可撓性を有する素材からなり、
配管の上流側が扁平形状に形成され、
中間部分が配管の下流側に向けて収束する形状に形成されている
ことを特徴とする請求項１記載の可撓管。
【請求項３】
前記可撓管用逆流防止弁は、
配管の下流側の内面を当接させて閉塞部が形成され、
当該閉塞部が上流側から下流側へ向かう流体の圧力に対して弾性変形により開口して流体を通過させ、下流側から上流側へ向かう流体の圧力に対して閉塞状態を維持する
ことを特徴とする請求項２記載の可撓管。
【請求項４】
前記可撓管用逆流防止弁は、
前記中間部分が、可撓管の配管流路中に設置されたときの下辺側が配管流路と略平行で、上辺側が傾斜して下流側に向けて収束する形状に形成されている
ことを特徴とする請求項２又は３記載の可撓管。
【請求項５】
前記可撓管用逆流防止弁は、自封トラップである
ことを特徴とする請求項１〜４のいずれか１項に記載の可撓管。
【請求項６】
排気又は排水のための可撓管を横方向に配管する配管構造であって、
配管の上流側から下流側へ向かう流体を通過させ、下流側から上流側へ向かう流体の通過を防ぐ可撓管用逆流防止弁が、配管流路と平行に設置されている
ことを特徴とする配管構造。
【発明の詳細な説明】
【技術分野】
【０００１】
本発明は、可撓管及びこれを用いた配管構造に関する。
【背景技術】
【０００２】
ホース等の可撓管を通気や給排水の配管として利用することがある。可撓管を配管として利用する場合には、換気扇や圧送による圧力や、勾配をつけることによって送風や給排水が行われている。
【０００３】
例えば、特許文献１では、所定の勾配をつけて排水可撓管を張り渡す排水配管構造に関する技術が開示されている。
【先行技術文献】
【特許文献】
【０００４】
【特許文献１】特開２００７−３１４９４３号公報
【発明の概要】
【発明が解決しようとする課題】
【０００５】
しかしながら、上記のような従来の配管では、送風や送水の圧力が弱かったり、可撓管が撓んで逆勾配になったりすると、排気や排水が逆流してしまう場合があるという問題がある。特に、横方向への配管の場合には、逆流が発生する可能性が高くなる傾向にある。
【０００６】
そこで、本発明は、上記のような問題点に鑑みなされたものであり、空気や水の逆流を効果的に防止しうる可撓管及びこれを用いた配管構造を提供することを目的とする。
【課題を解決するための手段】
【０００７】
上記目的を達成するために、本発明に係る可撓管は、排気又は排水のための可撓管の配管流路中に設置され、配管の上流側から下流側へ向かう流体を通過させ、下流側から上流側へ向かう流体の通過を防ぐ可撓管用逆流防止弁を備えることを特徴とする。
【０００８】
これにより、逆流を効果的に防止しうる可撓管が実現可能となる。
【０００９】
ここで、可撓管用逆流防止弁は、筒体状の可撓性を有する素材からなり、配管の上流側が扁平形状に形成され、中間部分が配管の下流側に向けて収束する形状に形成されているのが好ましく、さらに、配管の下流側の内面を当接させて閉塞部が形成され、当該閉塞部が上流側から下流側へ向かう流体の圧力に対して弾性変形により開口して流体を通過させ、下流側から上流側へ向かう流体の圧力に対して閉塞状態を維持するのがより好ましい。
【００１０】
これによって、上流側から下流側の流れに対しては圧力により閉塞部が弾性変形して上下に開口して流体を通過させ、反対方向に対しては閉塞部が閉塞状態を維持するので、逆流をより効果的に防止しうる可撓管が実現される。
【００１１】
また、本発明は、排気又は排水のための可撓管を横方向に配管する配管構造であって、配管の上流側から下流側へ向かう流体を通過させ、下流側から上流側へ向かう流体の通過を防ぐ可撓管用逆流防止弁が、配管流路と平行に設置されていることを特徴とする配管構造として実現することもできる。
【発明の効果】
【００１２】
以上説明したように、本発明に係る可撓管によれば、上流側から下流側の流れに対しては圧力により閉塞部が弾性変形して上下に開口して流体を通過させる一方、反対方向に対しては閉塞部が閉塞状態を維持する可撓管用逆流防止弁を備えているので、逆流を効果的に防止しうる可撓管が実現される。
【図面の簡単な説明】
【００１３】
【図１】可撓管用逆流防止弁が取り付けられた可撓管の配管構造の一例を示す図である。
【図２】可撓管用逆流防止弁の斜視図である。
【図３】可撓管用逆流防止弁の取付の一例を示す図である。
【図４】可撓管用逆流防止弁の取付の別の例を示す図である。
【図５】可撓管用逆流防止弁の斜視図である。
【図６】可撓管用逆流防止弁の取付の一例を示す図である。
【発明を実施するための形態】
【００１４】
以下、本発明の実施の形態について図面を用いながら説明する。
【００１５】
図１は、可撓管用逆流防止弁が取り付けられた可撓管の配管構造の一例を示す図である。
【００１６】
本実施の形態に係る可撓管２は、図１に示すように可撓管用逆流防止弁１０を備えている。配管構造１は、可撓管２が支持具３で支持され、横方向に配管される排水の配管構造である。可撓管用逆流防止弁１０は、排水口（図示せず）と可撓管２とを接続するためのインナー４と可撓管２との接続部分に設置される。
【００１７】
図２は、可撓管用逆流防止弁１０の全体の構成を示す斜視図である。
【００１８】
可撓管用逆流防止弁１０は、筒体状の可撓性を有する素材からなり、その一端（上流側）を扁平形状とし、筒体の中間部分をテーパー状にして他端側に向けて収束する形状とし、他端（下流側）の内面を当接させて閉塞部１１を形成することで構成される逆流防止弁（自封トラップ）である。可撓管用逆流防止弁１０の閉塞部１１は、その上流側から下流側へ流れる流体の圧力により弾性変形して開口して流体を通過させる一方、その下流側から上流側への流れに対しては閉塞状態を維持して逆流を防止するようになっている。
【００１９】
図３は、可撓管用逆流防止弁１０を配管に取り付ける際の一例を示す図である。
【００２０】
図３に示すように、可撓管用逆流防止弁１０は、インナー４と可撓管２との接続部分に嵌入されることで取り付けられ、上流側から下流側へ流体が流れる際に閉塞部１１が上下に開口するよう可撓管２の向きと平行に、すなわち、横向きに取り付けられている。このように、可撓管用逆流防止弁１０が横向きに取り付けられることにより、可撓管用逆流防止弁１０の閉塞部１１は、上流側から下流側へ流れる流体の圧力により弾性変形して上下に開口するので、流体を通過させることができるとともに、反対向きの流れに対しては閉塞状態を維持して逆流を防止することが可能になっている。
【００２１】
図４は、可撓管用逆流防止弁１０を配管に取り付ける際の別の例を示す図である。
【００２２】
可撓管用逆流防止弁１０は、可撓管２に直接取り付けるだけでなく、図４に示すように、可撓管用逆流防止弁１０を取り付けるための硬質の管体であるソケット部材５と、インナー４ａとを接続する構成とすることもできる。
【００２３】
次に、可撓管用逆流防止弁の別の構成例について、図５および図６を用いて説明する。      
【００２４】
図５は、可撓管用逆流防止弁２０の全体の構成を示す斜視図であり、図６は、可撓管用逆流防止弁２０を配管に取り付ける際の一例を示す図である。
【００２５】
可撓管用逆流防止弁２０は、その一端（上流側）を扁平形状とする点で、上述した可撓管用逆流防止弁１０と共通するが、その他の形状が異なっている。すなわち、可撓管用逆流防止弁２０は、筒体の中間部分のうち、取り付けられた際に下方に位置する側（下辺側）を略平行とし、上方に位置する側（上辺側）を傾斜させて他端側に向けて収束する形状とし、他端（下流側）の内面を当接させて閉塞部２１を形成することで構成される。このとき、可撓管用逆流防止弁２０の取り付け方向を示すべく、可撓管用逆流防止弁２０の任意の箇所に目印をつけたり、可撓管用逆流防止弁２０と取り付けられる側とに凹凸を設けて嵌合させるようにしてもよい。
【００２６】
このような形状によっても、可撓管用逆流防止弁２０の閉塞部２１は、上述した可撓管用逆流防止弁１０と同様に、逆流防止弁として機能しうる。
【００２７】
以上説明したように、本実施の形態に係る可撓管によれば、可撓管用逆流防止弁を、筒体状の可撓性を有する素材で、上流側を扁平形状、中間部分を下流側に向けて収束する形状、そして、下流側の内面を当接させて閉塞部を形成する構成とすることで、排気又は排水方向に対しては圧力により弾性変形して閉塞部が上下に開口して流体を通過させるとともに、逆流方向に対しては閉塞状態を維持するので、可撓管における逆流を効果的に防止することができる。
【００２８】
以上、本発明に係る可撓管について、実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００２９】
例えば、上記実施の形態では、横方向に配管する可撓管に用いる例を示したが、給水管やエアダクト配管、洗面台や流し台のキャビネット内配管等のように、縦方向に配管する可撓管に可撓管用逆流防止弁を採用してもよい。
【００３０】
また、可撓管用逆流防止弁を構成する筒体について円形状を図示して説明したが、筒状部分は四角形形状など、円形以外の形状であってもよい。
【産業上の利用可能性】
【００３１】
本発明に係る可撓管は、排気や排水の配管に用いられるホース等の可撓管として好適である。
【符号の説明】
【００３２】
１          配管構造
２          可撓管
３          支持具
４，４ａ    インナー
５          ソケット部材
１０，２０  逆流防止弁
１１，２１  閉塞部
【図１】
2012136911.tif 000003
【図２】
2012136911.tif 000004
【図３】
2012136911.tif 000005
【図４】
2012136911.tif 000006
【図５】
2012136911.tif 000007
【図６】
2012136911.tif 000008